(57)【要約】  無線端末装置が内部ネットワークにおける端末装置と通信するために用いるリソースを、適切に管理する。通信システム２０１において、内部ネットワーク接続装置１０２は、内部ネットワーク５１における端末装置１６１と通信するための自己のリソースを無線端末装置１５０，１５１に割り当て、無線基地局装置１０１経由で無線端末装置１５０，１５１から受信したデータを端末装置１６１へ送信するとともに、端末装置１６１から受信したデータを無線基地局装置１０１経由で無線端末装置１５０，１５１へ送信する。内部ネットワーク接続装置１０２または無線基地局装置１０１は、無線端末装置１５０，１５１に対するリソースの割り当てを維持すべきか否かを判断する。そして、内部ネットワーク接続装置１０２は、リソースの割り当てを維持すべきでないとの判断を受けて、リソースの割り当てを解除する。
2012063581.tif 000002
【特許請求の範囲】
【請求項１】
無線端末装置と無線信号を送受信するための無線基地局装置と、
前記無線基地局装置と内部ネットワークとの間に接続された内部ネットワーク接続装置とを備える通信システムであって、
前記内部ネットワーク接続装置は、前記内部ネットワークにおける端末装置と通信するための自己のリソースを前記無線端末装置に割り当て、前記無線基地局装置経由で前記無線端末装置から受信したデータを前記内部ネットワークにおける端末装置へ送信するとともに、前記内部ネットワークにおける端末装置から受信したデータを前記無線基地局装置経由で前記無線端末装置へ送信し、
前記内部ネットワーク接続装置または前記無線基地局装置は、前記無線端末装置に対する前記リソースの割り当てを維持すべきか否かを判断し、
前記内部ネットワーク接続装置は、前記リソースの割り当てを維持すべきでないとの判断を受けて、前記リソースの割り当てを解除する、通信システム。
【請求項２】
前記内部ネットワーク接続装置または前記無線基地局装置は、前記内部ネットワーク接続装置を介した前記無線端末装置と前記内部ネットワークにおける端末装置との通信が所定時間以上行われていない場合には、前記無線端末装置に対する前記リソースの割り当てを維持すべきでないと判断する、請求項１に記載の通信システム。
【請求項３】
前記無線基地局装置は、前記無線端末装置が自己と通信可能でなくなった場合には、前記無線端末装置に対する前記リソースの割り当てを維持すべきでないと判断する、請求項１または２に記載の通信システム。
【請求項４】
前記内部ネットワーク接続装置または前記無線基地局装置は、前記無線端末装置が前記無線基地局装置と通信可能でなく、かつ前記内部ネットワーク接続装置を介した前記無線端末装置と前記内部ネットワークにおける端末装置との通信が所定時間以上行われていない場合には、前記無線端末装置に対する前記リソースの割り当てを維持すべきでないと判断する、請求項１から３のいずれか１項に記載の通信システム。
【請求項５】
前記無線基地局装置は、前記通信が所定時間以上行われていない状態において、前記無線端末装置が自己と通信可能であるか否かを確認し、前記無線端末装置が自己と通信可能でない場合には、前記無線端末装置に対する前記リソースの割り当てを維持すべきでないと判断する、請求項４に記載の通信システム。
【請求項６】
前記内部ネットワーク接続装置または前記無線基地局装置は、前記無線端末装置が前記無線基地局装置と通信可能でなくなった後、前記内部ネットワーク接続装置を介した前記無線端末装置と前記内部ネットワークにおける端末装置との通信が所定時間以上行われない場合には、前記無線端末装置に対する前記リソースの割り当てを維持すべきでないと判断する、請求項４に記載の通信システム。
【請求項７】
前記内部ネットワーク接続装置または前記無線基地局装置は、前記内部ネットワーク接続装置を介した前記無線端末装置と前記内部ネットワークにおける端末装置との通信が行われなくなってから前記所定時間経過した場合には、前記無線端末装置に対する前記リソースの割り当てを維持すべきでないと判断し、
前記無線基地局装置は、前記無線端末装置が自己と通信可能でなくなった場合には、前記通信が行われなくなってから前記所定時間が経過していなくても、前記無線端末装置に対する前記リソースの割り当てを維持すべきでないと判断する、請求項１から３のいずれか１項に記載の通信システム。
【請求項８】
前記無線基地局装置は、前記無線端末装置が他の無線基地局装置へのハンドオーバを行なう場合において、ハンドオーバを行なわせる指示を示すハンドオーバ指示を前記無線端末装置へ送信する前に、または前記ハンドオーバ指示の送信と並行して、前記無線端末装置に対する前記リソースの割り当てを解除する要求を示すリソース解放要求を前記内部ネットワーク接続装置へ送信し、
前記内部ネットワーク接続装置は、前記リソース解放要求を受信して、前記リソースの割り当てを解除する、請求項１に記載の通信システム。
【請求項９】
前記無線基地局装置は、前記無線端末装置が他の無線基地局装置へのハンドオーバを行なう場合において、ハンドオーバを行なわせる指示を示すハンドオーバ指示を前記無線端末装置へ送信してから所定時間以上、前記内部ネットワーク接続装置を介した前記無線端末装置と前記内部ネットワークにおける端末装置との通信が行われないときには、前記無線端末装置に対する前記リソースの割り当てを解除する要求を示すリソース解放要求を前記内部ネットワーク接続装置へ送信し、
前記内部ネットワーク接続装置は、前記リソース解放要求を受信して、前記リソースの割り当てを解除する、請求項１に記載の通信システム。
【請求項１０】
前記通信システムは、前記無線基地局装置と外部ネットワークとの間に接続された通信制御装置を備えているとともに、前記無線基地局装置を複数備え、
前記通信制御装置は複数設けられ、
各前記無線基地局装置のうちの少なくともいずれか２つは、異なる前記通信制御装置に接続されている、請求項１から９のいずれか１項に記載の通信システム。
【請求項１１】
前記無線基地局装置は３ＧＰＰで規定されたＨｅＮＢ（Home e NodeB）であり、前記内部ネットワーク接続装置は３ＧＰＰで規定されたＬ−ＧＷ（Local Gateway）である、請求項１から１０のいずれか１項に記載の通信システム。
【請求項１２】
前記通信制御装置は３ＧＰＰで規定されたＳ−ＧＷ（Serving Gateway）である、請求項１０記載の通信システム。
【請求項１３】
無線端末装置と無線信号を送受信するための無線基地局装置と、前記無線基地局装置と内部ネットワークとの間に接続され、前記無線基地局装置経由で前記無線端末装置から受信したデータを前記内部ネットワークにおける端末装置へ送信するとともに、前記内部ネットワークにおける端末装置から受信したデータを前記無線基地局装置経由で前記無線端末装置へ送信するための内部ネットワーク接続装置とを備えた通信システムにおけるリソース制御方法であって、
前記内部ネットワーク接続装置が、前記内部ネットワークにおける端末装置と通信するための自己のリソースを前記無線端末装置に割り当てるステップと、
前記内部ネットワーク接続装置または前記無線基地局装置が、前記無線端末装置に対する前記リソースの割り当てを維持すべきか否かを判断するステップと、
前記内部ネットワーク接続装置が、前記リソースの割り当てを維持すべきでないとの判断を受けて、前記リソースの割り当てを解除するステップとを含む、リソース制御方法。
【発明の詳細な説明】
【技術分野】
【０００１】
本発明は、通信システムおよびリソース制御方法に関し、特に、無線端末装置が無線基地局装置を介して内部ネットワークにアクセスすることが可能な通信システムおよびリソース制御方法に関する。
【背景技術】
【０００２】
従来、移動通信システムでは、半径数百メートルから数十キロメートルのセルすなわち無線端末装置が通信可能なエリアを形成する無線基地局装置（以下、マクロ基地局またはｅＮＢ（e NodeB）とも称する。）による通信サービスが提供されてきた。【０００３】
近年、移動通信サービスの加入者数の劇的な増加およびデータ通信による通信トラヒック量の増大から、より半径の小さいセルを形成することによって加入者および通信トラヒックを分散し、また、一定レベルの通信速度をユーザへ安定して提供することが望まれている。また、ビルの超高層化に伴う不感地対策のため、企業フロア内および一般家庭内への無線基地局装置の設置も望まれている。【０００４】
これらの要望と併せて、無線基地局装置で使用される種々のデバイスの処理能力が飛躍的に向上したことによって無線基地局装置の小型化が進み、このような小型化された基地局が注目を集めている。【０００５】
この小型基地局（以下、フェムト基地局またはＨｅＮＢ（Home e NodeB）とも称する。）が形成するフェムトセル（Femto Cell）の半径は１０メートル前後と小さい。そこで、フェムト基地局は、マクロ基地局が形成するマクロセル（Macro Cell）の圏外となる場所、又はマクロ基地局の設置が困難な宅内および地下街等の場所で使用されることが考えられる。【０００６】
このようなＨｅＮＢ経由でＬＡＮ（Local Area Network）に設けられた端末装置に対して無線端末装置（以下、ＵＥ（User Equipment）とも称する。）がアクセスする際の機能として、３ＧＰＰ(Third Generation Partnership Project)においてＬＩＰＡ（Local IP Access）が規定されている。【０００７】
ＬＩＰＡとは、ＵＥにおいて、移動通信事業者網から割り当てられるグローバルＩＰ（Internet Protocol）アドレスではなく、ＬＡＮにアクセスするためのローカルＩＰアドレスを用いたアクセスを可能とする機能である。【０００８】
たとえば、非特許文献１（3GPP SPEC 23.829 V1.3.0 2010.9）では、ＵＥがＨｅＮＢ経由でＬＡＮにおける端末装置にアクセスする際に、ＵＥに対してローカルＩＰアドレスを付与し、データの中継処理等を行なうローカルゲートウェイ装置（以下、Ｌ−ＧＷとも称する。）が開示されている。【０００９】
ＬＩＰＡの利用例としては、たとえば、ユーザが、宅内ＬＡＮにおけるハードディスクレコーダから映像ファイルを携帯端末にダウンロードし、番組を視聴する場合などが考えられる。
【先行技術文献】
【非特許文献】
【００１０】
【非特許文献１】3GPP SPEC 23.829 V1.3.0 2010.9
【発明の概要】
【発明が解決しようとする課題】
【００１１】
ところで、ＬＩＰＡコネクションを有するＵＥ、すなわちＬＡＮにおける端末装置と通信するためのリソース（以下、ＬＩＰＡリソースとも称する。）の割り当てをＬ−ＧＷから受けたＵＥがＬＡＮにおける端末装置へのアクセスを終了した場合には、Ｌ−ＧＷが当該ＵＥに割り当てているＬＩＰＡリソースを解放する必要がある。【００１２】
また、ＬＩＰＡリソースを利用してＬＡＮにおける端末装置と通信中であるＵＥがＨｅＮＢからｅＮＢへハンドオーバした場合には、ハンドオーバ先のｅＮＢからたとえばＭＭＥ（Mobility  Management  Entity）経由でＬ−ＧＷに対して当該ＵＥのハンドオーバに関する通知を行なうことにより、Ｌ−ＧＷが当該ＵＥに割り当てていたＬＩＰＡリソースを解放する必要がある。【００１３】
しかしながら、移動通信システムの構成によっては、Ｌ−ＧＷに対して上記のようなＭＭＥからの通知が行なえない場合があり、このような場合には、Ｌ−ＧＷが、使用されないＬＩＰＡリソースを当該ＵＥに割り当てたままの状態となってしまう。【００１４】
そうすると、他のＵＥが当該ＬＩＰＡリソースを使用できなくなり、Ｌ−ＧＷを介してＬＡＮにおける端末装置へ同時にアクセスできるＵＥの数が減ってしまう。また、ハンドオーバしたＵＥがＨｅＮＢの圏内へ戻って来た場合において、再びＬＩＰＡリソースの割り当てを受けてＬＡＮにおける端末装置と通信を行なおうとしても、Ｌ−ＧＷは、当該ＵＥに既にＬＩＰＡリソースを割り当て済みであると判断して、ＬＩＰＡリソースの割り当てを拒否してしまい、当該ＵＥがＬＩＰＡリソースを使用できなくなる可能性がある。【００１５】
この発明は、上述の課題を解決するためになされたもので、その目的は、無線端末装置が内部ネットワークにおける端末装置と通信するために用いるリソースを、適切に管理することが可能な通信システムおよびリソース制御方法を提供することである。
【課題を解決するための手段】
【００１６】
（１）上記課題を解決するために、この発明のある局面に係わる通信システムは、無線端末装置と無線信号を送受信するための無線基地局装置と、上記無線基地局装置と内部ネットワークとの間に接続された内部ネットワーク接続装置とを備え、上記内部ネットワーク接続装置は、上記内部ネットワークにおける端末装置と通信するための自己のリソースを上記無線端末装置に割り当て、上記無線基地局装置経由で上記無線端末装置から受信したデータを上記内部ネットワークにおける端末装置へ送信するとともに、上記内部ネットワークにおける端末装置から受信したデータを上記無線基地局装置経由で上記無線端末装置へ送信し、上記内部ネットワーク接続装置または上記無線基地局装置は、上記無線端末装置に対する上記リソースの割り当てを維持すべきか否かを判断し、上記内部ネットワーク接続装置は、上記リソースの割り当てを維持すべきでないとの判断を受けて、上記リソースの割り当てを解除する。【００１７】
このような構成により、内部ネットワーク側すなわち無線基地局装置または内部ネットワーク接続装置においてリソースの解放判断および解放処理を行なうことができるため、内部ネットワーク側においてリソースを自律的に解放することが可能となる。したがって、無線端末装置が内部ネットワークにおける端末装置と通信するために用いるリソースを、適切に管理することができる。【００１８】
（２）好ましくは、上記内部ネットワーク接続装置または上記無線基地局装置は、上記内部ネットワーク接続装置を介した上記無線端末装置と上記内部ネットワークにおける端末装置との通信が所定時間以上行われていない場合には、上記無線端末装置に対する上記リソースの割り当てを維持すべきでないと判断する。【００１９】
このような構成により、一定期間未使用のリソースを適切に解放することができる。【００２０】
（３）好ましくは、上記無線基地局装置は、上記無線端末装置が自己と通信可能でなくなった場合には、上記無線端末装置に対する上記リソースの割り当てを維持すべきでないと判断する。【００２１】
このような構成により、たとえば無線基地局装置の圏外へ移動した無線端末装置の使用していたリソースを適切に解放することができる。【００２２】
（４）好ましくは、上記内部ネットワーク接続装置または上記無線基地局装置は、上記無線端末装置が上記無線基地局装置と通信可能でなく、かつ上記内部ネットワーク接続装置を介した上記無線端末装置と上記内部ネットワークにおける端末装置との通信が所定時間以上行われていない場合には、上記無線端末装置に対する上記リソースの割り当てを維持すべきでないと判断する。【００２３】
このように、リソースが一定期間未使用であること、および無線端末装置が無線基地局装置と通信可能でなくなったことの両方をリソース解放の条件とすることにより、リソースを適切に解放することができる。【００２４】
（５）より好ましくは、上記無線基地局装置は、上記通信が所定時間以上行われていない状態において、上記無線端末装置が自己と通信可能であるか否かを確認し、上記無線端末装置が自己と通信可能でない場合には、上記無線端末装置に対する上記リソースの割り当てを維持すべきでないと判断する。【００２５】
このような構成により、内部ネットワークにおける端末装置にはアクセスしなくなったが、無線基地局装置の圏内に存在する無線端末装置が、当該アクセスを再開した場合に、ＬＩＰＡコネクションの確立処理を再び実行する必要がなくなり、通信システムにおける処理の効率化を図ることができる。【００２６】
より好ましくは、上記無線基地局装置は、上記内部ネットワーク接続装置を介した上記無線端末装置と上記内部ネットワークにおける端末装置との通信を監視し、上記通信が所定時間以上行われない場合には、上記無線端末装置が自己と通信可能であるか否かを確認する。【００２７】
このような構成により、内部ネットワーク接続装置から無線基地局装置へ未通信情報を送信する必要がなくなるため、通信システムにおける処理の効率化を図ることができる。【００２８】
より好ましくは、上記内部ネットワーク接続装置は、上記内部ネットワーク接続装置を介した上記無線端末装置と上記内部ネットワークにおける端末装置との通信を監視し、上記通信が所定時間以上行われない場合には、未通信情報を上記無線基地局装置へ送信し、上記無線基地局装置は、上記未通信情報を受信して、上記無線端末装置が自己と通信可能であるか否かを確認する。【００２９】
このような構成により、内部ネットワーク接続装置を介した無線端末装置と内部ネットワークにおける端末装置との通信を監視する機能を無線基地局装置側に実装する必要がなくなり、無線基地局装置および内部ネットワーク接続装置間の負荷分散を図ることができる。【００３０】
（６）より好ましくは、上記内部ネットワーク接続装置または上記無線基地局装置は、上記無線端末装置が上記無線基地局装置と通信可能でなくなった後、上記内部ネットワーク接続装置を介した上記無線端末装置と上記内部ネットワークにおける端末装置との通信が所定時間以上行われない場合には、上記無線端末装置に対する上記リソースの割り当てを維持すべきでないと判断する。【００３１】
このような構成により、無線基地局装置の圏外へ移動した無線端末装置が短時間のうちに無線基地局装置の圏内へ戻って来た場合に、内部ネットワークへアクセスするためのコネクションの確立処理を再び実行する必要がなくなり、通信システムにおける処理の効率化を図ることができる。【００３２】
より好ましくは、上記無線基地局装置は、上記無線端末装置が自己と通信可能であるか否かを監視し、上記無線端末装置が自己と通信可能でなくなった後、上記内部ネットワーク接続装置を介した上記無線端末装置と上記内部ネットワークにおける端末装置との通信を監視する。【００３３】
このような構成により、内部ネットワーク接続装置を介した無線端末装置と内部ネットワークにおける端末装置との通信を監視する機能を内部ネットワーク接続装置に実装する必要がなくなり、無線基地局装置および内部ネットワーク接続装置間の負荷分散を図ることができる。【００３４】
より好ましくは、上記無線基地局装置は、上記無線端末装置が自己と通信可能であるか否かを監視し、上記無線端末装置が自己と通信可能でなくなった場合には、無線リンク切断情報を上記内部ネットワーク接続装置へ送信し、上記内部ネットワーク接続装置は、上記無線リンク切断情報を受信して、上記内部ネットワーク接続装置を介した上記無線端末装置と上記内部ネットワークにおける端末装置との通信を監視する。【００３５】
このような構成により、内部ネットワーク接続装置を介した無線端末装置と内部ネットワークにおける端末装置との通信を監視する機能を無線基地局装置に実装する必要がなくなり、無線基地局装置および内部ネットワーク接続装置間の負荷分散を図ることができる。【００３６】
（７）好ましくは、上記内部ネットワーク接続装置または上記無線基地局装置は、上記内部ネットワーク接続装置を介した上記無線端末装置と上記内部ネットワークにおける端末装置との通信が行われなくなってから上記所定時間経過した場合には、上記無線端末装置に対する上記リソースの割り当てを維持すべきでないと判断し、上記無線基地局装置は、上記無線端末装置が自己と通信可能でなくなった場合には、上記通信が行われなくなってから上記所定時間が経過していなくても、上記無線端末装置に対する上記リソースの割り当てを維持すべきでないと判断する。【００３７】
このような構成により、たとえば無線基地局装置の圏外へ移動した無線端末装置の使用していたリソースを迅速に解放することができる。【００３８】
より好ましくは、上記無線基地局装置は、上記内部ネットワーク接続装置を介した上記無線端末装置と上記内部ネットワークにおける端末装置との通信を監視し、かつ上記無線端末装置が自己と通信可能であるか否かを監視する。【００３９】
このような構成により、内部ネットワーク接続装置を介した無線端末装置と内部ネットワークにおける端末装置との通信を監視する機能を内部ネットワーク接続装置に実装する必要がなくなり、無線基地局装置および内部ネットワーク接続装置間の負荷分散を図ることができる。【００４０】
より好ましくは、上記内部ネットワーク接続装置は、上記内部ネットワーク接続装置を介した上記無線端末装置と上記内部ネットワークにおける端末装置との通信を監視し、上記無線基地局装置は、上記無線端末装置が自己と通信可能であるか否かを監視する。【００４１】
このような構成により、内部ネットワーク接続装置を介した無線端末装置と内部ネットワークにおける端末装置との通信を監視する機能を無線基地局装置に実装する必要がなくなり、無線基地局装置および内部ネットワーク接続装置間の負荷分散を図ることができる。【００４２】
（８）好ましくは、上記無線基地局装置は、上記無線端末装置が他の無線基地局装置へのハンドオーバを行なう場合において、ハンドオーバを行なわせる指示を示すハンドオーバ指示を上記無線端末装置へ送信する前に、または上記ハンドオーバ指示の送信と並行して、上記無線端末装置に対する上記リソースの割り当てを解除する要求を示すリソース解放要求を上記内部ネットワーク接続装置へ送信し、上記内部ネットワーク接続装置は、上記リソース解放要求を受信して、上記リソースの割り当てを解除する。【００４３】
このような構成により、ＭＭＥなどから端末情報解放指示が到着しない等、ハンドオーバ先からの通知がない場合でも、リソースを確実に解放することができる。【００４４】
（９）好ましくは、上記無線基地局装置は、上記無線端末装置が他の無線基地局装置へのハンドオーバを行なう場合において、ハンドオーバを行なわせる指示を示すハンドオーバ指示を上記無線端末装置へ送信してから所定時間以上、上記内部ネットワーク接続装置を介した上記無線端末装置と上記内部ネットワークにおける端末装置との通信が行われないときには、上記無線端末装置に対する上記リソースの割り当てを解除する要求を示すリソース解放要求を上記内部ネットワーク接続装置へ送信し、上記内部ネットワーク接続装置は、上記リソース解放要求を受信して、上記リソースの割り当てを解除する。【００４５】
このような構成により、ＭＭＥなどから端末情報解放指示が到着しない等、ハンドオーバ先からの通知がない場合でも、リソースを確実に解放することができる。また、ハンドオーバの失敗が起きても、内部ネットワークへアクセスするためのコネクションの確立処理を再び実行する必要がなくなり、通信システムにおける処理の効率化を図ることができる。【００４６】
（１０）好ましくは、上記通信システムは、上記無線基地局装置を複数備え、上記通信制御装置は複数設けられ、各上記無線基地局装置のうちの少なくともいずれか２つは、異なる上記通信制御装置に接続されている。【００４７】
このような通信システムでは、無線端末装置がハンドオーバした際にＭＭＥなどからリソースの解放指示となる通知を受けることが困難であることから、上記ハンドオーバ指示を無線端末装置へ送信する前またはハンドオーバ指示の送信と並行してリソース解放要求を内部ネットワーク接続装置へ送信することによる効果を、より顕著に得ることができる。【００４８】
（１１）好ましくは、上記無線基地局装置は３ＧＰＰで規定されたＨｅＮＢ（Home e NodeB）であり、上記内部ネットワーク接続装置は３ＧＰＰで規定されたＬ−ＧＷ（Local Gateway）である。
（１２）好ましくは、上記通信制御装置は３ＧＰＰで規定されたＳ−ＧＷ（Serving Gateway）である。【００４９】
このような構成により、３ＧＰＰで規定されたＬＩＰＡ機能を用いて、無線端末装置が内部ネットワークにおける端末装置と通信するために用いるリソースを、適切に管理することが可能となる。【００５０】
（１３）上記課題を解決するために、この発明のある局面に係わるリソース制御方法は、無線端末装置と無線信号を送受信するための無線基地局装置と、上記無線基地局装置と内部ネットワークとの間に接続され、上記無線基地局装置経由で上記無線端末装置から受信したデータを上記内部ネットワークにおける端末装置へ送信するとともに、上記内部ネットワークにおける端末装置から受信したデータを上記無線基地局装置経由で上記無線端末装置へ送信するための内部ネットワーク接続装置とを備えた通信システムにおけるリソース制御方法であって、上記内部ネットワーク接続装置が、上記内部ネットワークにおける端末装置と通信するための自己のリソースを上記無線端末装置に割り当てるステップと、上記内部ネットワーク接続装置または上記無線基地局装置が、上記無線端末装置に対する上記リソースの割り当てを維持すべきか否かを判断するステップと、上記内部ネットワーク接続装置が、上記リソースの割り当てを維持すべきでないとの判断を受けて、上記リソースの割り当てを解除するステップとを含む。【００５１】
このような構成により、内部ネットワーク側すなわち無線基地局装置または内部ネットワーク接続装置においてリソースの解放判断および解放処理を行なうことができるため、内部ネットワーク側においてリソースを自律的に解放することが可能となる。したがって、無線端末装置が内部ネットワークにおける端末装置と通信するために用いるリソースを、適切に管理することができる。
【発明の効果】
【００５２】
本発明によれば、無線端末装置が内部ネットワークにおける端末装置と通信するために用いるリソースを、適切に管理することができる。
【図面の簡単な説明】
【００５３】
【図１】本発明の実施の形態に係る無線通信システムの構成を示す図である。
【図２】本発明の実施の形態に係る無線通信システムにおいて、ＬＩＰＡコネクションを確立するシーケンスの一例を示す図である。
【図３】本発明の実施の形態に係る無線通信システムにおけるＬＩＰＡリソースの解放処理のシーケンスの一例を示す図である。
【図４】本発明の実施の形態に係る無線通信システムにおけるＬＩＰＡリソースの解放処理のシーケンスの一例を示す図である。
【図５】本発明の実施の形態に係る無線通信システムにおけるＬＩＰＡリソースの解放処理のシーケンスの一例を示す図である。
【図６】本発明の実施の形態に係る無線通信システムにおけるＬＩＰＡリソースの解放処理のシーケンスの一例を示す図である。
【図７】本発明の実施の形態に係る無線通信システムにおけるＬＩＰＡリソースの解放処理のシーケンスの一例を示す図である。
【図８】本発明の実施の形態に係る無線通信システムにおけるＬＩＰＡリソースの解放処理のシーケンスの一例を示す図である。
【図９】本発明の実施の形態に係る無線通信システムにおけるＬＩＰＡリソースの解放処理のシーケンスの一例を示す図である。
【図１０】本発明の実施の形態に係る無線通信システムにおけるＬＩＰＡリソースの解放処理のシーケンスの一例を示す図である。
【図１１】本発明の実施の形態に係る無線通信システムにおけるＬＩＰＡリソースの解放処理のシーケンスの一例を示す図である。
【図１２】本発明の実施の形態に係る無線通信システムにおけるハンドオーバ動作のシーケンスの一例を示す図である。
【図１３】本発明の実施の形態に係る無線通信システムにおけるハンドオーバ動作のシーケンスの一例を示す図である。
【発明を実施するための形態】
【００５４】
以下、本発明の実施の形態について図面を用いて説明する。なお、図中同一または相当部分には同一符号を付してその説明は繰り返さない。
【００５５】
［構成および基本動作］
図１は、本発明の実施の形態に係る無線通信システムの構成を示す図である。
【００５６】
図１を参照して、無線通信システム２０１は、たとえば３ＧＰＰで規格化されたＬＴＥ（Long Term Evolution）に従う移動体通信システムであり、ＨｅＮＢ（無線基地局装置）１０１と、Ｌ−ＧＷ（内部ネットワーク接続装置）１０２と、ＭＭＥ（Mobility  Management  Entity）１０３と、Ｓ−ＧＷ（通信制御装置）１０４，１０５と、ｅＮＢ（無線基地局装置）１０６と、Ｐ−ＧＷ１０７とを備える。なお、Ｌ−ＧＷ１０２は、ＨｅＮＢ１０１と同じ筐体に収納されてもよいし、別個の筐体に収納されてもよい。また、図１では、２つの無線基地局装置と、２つのＳ−ＧＷとを代表的に示しているが、少数またはさらに多数の無線基地局装置およびＳ−ＧＷが設けられてもよい。
【００５７】
ＨｅＮＢ１０１およびｅＮＢ１０６は、無線信号をＵＥと送受信することにより、ＵＥとの通信を行なう。ここでは、無線通信システム２０１において、ＵＥ１５０，１５１が存在すると仮定する。
【００５８】
Ｌ−ＧＷ１０２は、ＨｅＮＢ１０１とＬＡＮ（内部ネットワーク）５１との間に接続されている。Ｌ−ＧＷ１０２は、たとえば複数のＵＥに対してＬＩＰＡコネクションを提供することが可能である。Ｌ−ＧＷ１０２は、ＬＡＮ５１における端末装置１６１と通信するための自己のリソースをＵＥに割り当てる。
【００５９】
具体的には、Ｌ−ＧＷ１０２は、ＵＥ１５０，１５１に対してローカルＩＰアドレスを付与し、ＵＥ１５０，１５１がＨｅＮＢ１０１経由でＬＡＮ５１における端末装置１６１にアクセスする際に、データの中継処理等を行なう。すなわち、Ｌ−ＧＷ１０２は、ＨｅＮＢ１０１経由でＵＥ１５０，１５１から受信したデータをＬＡＮ５１における端末装置１６１へ送信するとともに、ＬＡＮ５１における端末装置１６１から受信したデータをＨｅＮＢ１０１経由でＵＥ１５０，１５１へ送信する。
【００６０】
ＨｅＮＢ１０１およびＬ−ＧＷ１０２は、３ＧＰＰで規定されたＬＩＰＡ機能を有しており、ＵＥ１５０，１５１とＬＡＮ５１における端末装置１６１との間の通信を可能とする。
【００６１】
Ｓ−ＧＷ１０４は、ＨｅＮＢ１０１とＩＰ網（外部ネットワーク）５２との間に接続されている。Ｓ−ＧＷ１０４は、ＨｅＮＢ１０１経由でＵＥ１５０，１５１から受信したデータをＰ−ＧＷ１０７経由でＩＰ網５２へ送信するとともに、ＩＰ網５２における他の装置からＰ−ＧＷ１０７経由で受信したデータをＨｅＮＢ１０１経由でＵＥ１５０，１５１へ送信する。
【００６２】
ＭＭＥ１０３は、ＨｅＮＢ１０１との間で制御メッセージを送受信し、また、ｅＮＢ１０６との間で制御メッセージを送受信する。
【００６３】
ＨｅＮＢ１０１は、Ｓ−ＧＷ１０４およびＰ−ＧＷ１０７を介してＩＰ網５２との間でＩＰパケットを送受信する。
【００６４】
ｅＮＢ１０６は、Ｓ−ＧＷ１０５およびＰ−ＧＷ１０７を介してＩＰ網５２との間でＩＰパケットを送受信する。
【００６５】
ＨｅＮＢ１０１およびＳ−ＧＷ１０４は、論理的なインタフェースであるＳ１−Ｕインタフェースに従う通信データを互いに送受信することにより、Ｓ１−Ｕインタフェース経由で種々の情報を互いにやりとりする。
【００６６】
ＨｅＮＢ１０１およびＭＭＥ１０３は、論理的なインタフェースであるＳ１−ＭＭＥインタフェースに従う通信データを互いに送受信することにより、Ｓ１−ＭＭＥインタフェース経由で種々の情報を互いにやりとりする。
【００６７】
ｅＮＢ１０６およびＳ−ＧＷ１０５は、論理的なインタフェースであるＳ１−Ｕインタフェースに従う通信データを互いに送受信することにより、Ｓ１−Ｕインタフェース経由で種々の情報を互いにやりとりする。
【００６８】
ｅＮＢ１０６およびＭＭＥ１０３は、論理的なインタフェースであるＳ１−ＭＭＥインタフェースに従う通信データを互いに送受信することにより、Ｓ１−ＭＭＥインタフェース経由で種々の情報を互いにやりとりする。
【００６９】
Ｌ−ＧＷ１０２およびＳ−ＧＷ１０４は、論理的なインタフェースであるＳ５インタフェースに従う通信データを互いに送受信することにより、Ｓ５インタフェース経由で種々の情報を互いにやりとりする。
【００７０】
ＭＭＥ１０３およびＳ−ＧＷ１０４，１０５は、論理的なインタフェースであるＳ１１インタフェースに従う通信データを互いに送受信することにより、Ｓ１１インタフェース経由で種々の情報を互いにやりとりする。
【００７１】
Ｓ−ＧＷ１０４，１０５およびＰ−ＧＷ１０７は、論理的なインタフェースであるＳ５インタフェースに従う通信データを互いに送受信することにより、Ｓ５インタフェース経由で種々の情報を互いにやりとりする。
【００７２】
Ｌ−ＧＷ１０２またはＨｅＮＢ１０１は、ＵＥ１５０，１５１に対するリソースの割り当てを維持すべきか否かを判断する。そして、Ｌ−ＧＷ１０２は、リソースの割り当てを維持すべきでないとの判断を受けて、ＵＥ１５０，１５１に対するリソースの割り当てを解除する。
【００７３】
すなわち、Ｌ−ＧＷ１０２またはＨｅＮＢ１０１は、ＭＭＥ１０３またはＳ−ＧＷ１０４からＬＩＰＡリソースの解放指示を受けなくても、また、ＬＡＮ５１における端末装置１６１との通信を終了する旨の何らかの情報をＵＥ１５０，１５１から受信しなくても、ＬＩＰＡリソースの割り当てを維持すべきか否かを判断し、ＬＩＰＡリソースの解放を行なう。
【００７４】
［動作］
以下では、ＵＥ１５１のＬＩＰＡコネクションの確立処理および解放処理を行なう場合について代表的に説明する。
【００７５】
まず、本発明の実施の形態に係る無線通信システムにおけるＬＩＰＡコネクションの確立処理について説明する。
【００７６】
図２は、本発明の実施の形態に係る無線通信システムにおいて、ＬＩＰＡコネクションを確立するシーケンスの一例を示す図である。
【００７７】
図２を参照して、まず、ＵＥ１５１は、ＬＡＮ５１へのアクセス要求を示すＰＤＮ（Packet Data Network）接続要求をＭＭＥ１０３へ送信する（ステップＳ１０１）。
【００７８】
次に、ＭＭＥ１０３は、ＵＥ１５１から受けたＰＤＮ接続要求から、ＬＩＰＡの適用が可能であると判断すると、ローカルＩＰアドレス等のリソース割り当て要求を示すセッション確立要求をＳ−ＧＷ１０４へ送信する（ステップＳ１０２）。
【００７９】
次に、Ｓ−ＧＷ１０４は、ＭＭＥ１０３から受けたセッション確立要求をＬ−ＧＷ１０２へ送信する（ステップＳ１０３）。
【００８０】
次に、Ｌ−ＧＷ１０２は、Ｓ−ＧＷ１０４からセッション確立要求を受けて、ＵＥ１５１を追加しても、ＬＡＮ５１に同時アクセス可能なＵＥの所定台数を超えない場合には、ＵＥ１５１にＬＩＰＡリソースを割り当てる。たとえば、Ｌ−ＧＷ１０２は、当該セッション確立要求が示すＵＥ１５１の識別情報およびローカルＩＰアドレスの対応関係を記憶し、また、ＬＩＰＡリソースを使用中のＵＥの台数を示す使用リソースカウント値に１を加える。そして、Ｌ−ＧＷ１０２は、ＵＥ１５１用のローカルＩＰアドレスを含むセッション確立応答をＳ−ＧＷ１０４へ送信する（ステップＳ１０４）。
【００８１】
次に、Ｓ−ＧＷ１０４は、Ｌ−ＧＷ１０２から受けたセッション確立応答をＭＭＥ１０３へ送信する（ステップＳ１０５）。
【００８２】
次に、ＭＭＥ１０３は、Ｓ−ＧＷ１０４からセッション確立応答を受けて、Ｌ−ＧＷ１０２によって割り当てられたＩＰアドレス等を含むベアラセットアップ要求をＨｅＮＢ１０１へ送信する（ステップＳ１０６）。ベアラセットアップ要求は、ＨｅＮＢとＵＥとの間のコネクションを確立する要求である。
【００８３】
次に、ＨｅＮＢ１０１は、ＭＭＥ１０３からベアラセットアップ要求を受けて、ＵＥ１５１へＲＲＣコネクション再構成指示を送信する（ステップＳ１０７）。
【００８４】
次に、ＵＥ１５１は、ＨｅＮＢ１０１からＲＲＣコネクション再構成指示を受けて、ＨｅＮＢ１０１へＲＲＣコネクション再構成応答を送信する（ステップＳ１０８）。
【００８５】
次に、ＨｅＮＢ１０１は、ＵＥ１５１からＲＲＣコネクション再構成応答を受けて、ＭＭＥ１０３へベアラセットアップ応答を送信する（ステップＳ１０９）。
【００８６】
次に、ＵＥ１５１は、ＬＩＰＡ機能を利用してＬＡＮ５１へアクセスすることを示す直接転送通知をＨｅＮＢ１０１へ送信する（ステップＳ１１０）。
【００８７】
次に、ＨｅＮＢ１０１は、ＵＥ１５１から直接転送通知を受けて、ＰＤＮ接続完了通知をＭＭＥ１０３へ送信する（ステップＳ１１１）。
【００８８】
以上により、ＬＩＰＡコネクションが確立し、ＨｅＮＢ１０１から直接Ｌ−ＧＷ１０２を介してＬＡＮ５１内部の各機器に対してＩＰアクセスを行なうことが可能となる。すなわち、ＵＥ１５１から送信されたＩＰパケットがＨｅＮＢ１０１およびＬ−ＧＷ１０２経由でＬＡＮ５１における端末装置１６１へ送信され、端末装置１６１から送信されたＩＰパケットがＬ−ＧＷ１０２およびＨｅＮＢ１０１経由でＵＥ１５１へ送信される。
【００８９】
そして、ＬＩＰＡコネクションが確立した後は、ＵＥ１５１がＬＡＮ５１にアクセスするためのＩＰパケット等のデータを、ＨｅＮＢ１０１とＭＭＥ１０３およびＳ−ＧＷ１０４との間で流す必要がなくなることから、ＨｅＮＢ１０１とＭＭＥ１０３およびＳ−ＧＷ１０４の間における通信トラフィックを低減することが可能となる。
【００９０】
ここで、無線通信システム２０１では、ＨｅＮＢ１０１とＳ１−Ｕインタフェースを介して接続されているのはＳ−ＧＷ１０４であり、ｅＮＢ１０６とＳ１−Ｕインタフェースを介して接続されているのはＳ−ＧＷ１０５である。すなわち、ＨｅＮＢ１０１およびｅＮＢ１０６の上位装置であるＳ−ＧＷが異なる。
【００９１】
このため、ＬＩＰＡコネクションの確立後、ＬＩＰＡ機能を利用してＬＡＮ５１における端末装置１６１と通信中であるＵＥ１５１がＨｅＮＢ１０１からｅＮＢ１０６へハンドオーバした場合には、ハンドオーバ先のＳ−ＧＷ１０５からＬ−ＧＷ１０２に対してＵＥ１５１のＬＩＰＡリソース解放を指示することができない。このような場合には、Ｌ−ＧＷ１０２が、使用されないＬＩＰＡリソースを、ハンドオーバによりＨｅＮＢ１０１の圏外となったＵＥ１５１に割り当てたままの状態となってしまう。
【００９２】
そこで、本発明の実施の形態に係る無線通信システムでは、以下のようなＬＩＰＡリソースの解放処理を行なうことにより、上記のような問題点を解決する。
【００９３】
なお、本発明の実施の形態に係る無線通信システムにおいて、ハンドオーバとは、通話中またはデータ通信中のＵＥの通信相手となる無線基地局装置が切り替えられることを意味する。
【００９４】
図３は、本発明の実施の形態に係る無線通信システムにおけるＬＩＰＡリソースの解放処理のシーケンスの一例を示す図である。
【００９５】
図３を参照して、ＨｅＮＢ１０１は、Ｌ−ＧＷ１０２を介したＵＥ１５１とＬＡＮ５１における端末装置１６１との通信が所定時間以上行われていない場合には、ＵＥ１５１に対するＬＩＰＡリソースの割り当てを維持すべきでないと判断する。
【００９６】
より詳細には、ＵＥ１５１のＬＩＰＡコネクションが確立した後、まず、ＨｅＮＢ１０１は、タイマを開始させる。このタイマの開始タイミングは、たとえば、ＵＥ１５１のＬＩＰＡコネクションが確立したタイミング、あるいはＵＥ１５１とＬＡＮ５１における端末装置１６１との間の通信が途切れたタイミングである。また、ＨｅＮＢ１０１は、ＵＥ１５１とＬＡＮ５１における端末装置１６１との間でＩＰパケット等の通信データが送受信されたことを検出するたびに、上記タイマをリセットして再スタートさせる（ステップＳ１１）。
【００９７】
次に、ＨｅＮＢ１０１は、ＵＥ１５１とＬＡＮ５１における端末装置１６１との間で通信データが送受信されない状態が継続し、タイマが満了すると（ステップＳ１２）、ＵＥ１５１のＬＩＰＡコネクションを維持すべきでないと判断し、リソース解放要求をＬ−ＧＷ１０２へ送信する（ステップＳ１３）。
【００９８】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ１４）。
【００９９】
次に、Ｌ−ＧＷ１０２は、リソース解放完了通知をＨｅＮＢ１０１へ送信する（ステップＳ１５）。
【０１００】
図４は、本発明の実施の形態に係る無線通信システムにおけるＬＩＰＡリソースの解放処理のシーケンスの一例を示す図である。
【０１０１】
図４を参照して、Ｌ−ＧＷ１０２は、Ｌ−ＧＷ１０２を介したＵＥ１５１とＬＡＮ５１における端末装置１６１との通信が所定時間以上行われていない場合には、ＵＥ１５１に対するＬＩＰＡリソースの割り当てを維持すべきでないと判断する。
【０１０２】
より詳細には、ＵＥ１５１のＬＩＰＡコネクションが確立した後、まず、Ｌ−ＧＷ１０２は、タイマを開始させる。このタイマの開始タイミングは、たとえば、ＵＥ１５１のＬＩＰＡコネクションが確立したタイミング、あるいはＵＥ１５１とＬＡＮ５１における端末装置１６１との間の通信が途切れたタイミングである。また、Ｌ−ＧＷ１０２は、ＵＥ１５１とＬＡＮ５１における端末装置１６１との間でＩＰパケット等の通信データが送受信されたことを検出するたびに、上記タイマをリセットして再スタートさせる（ステップＳ２１）。
【０１０３】
次に、Ｌ−ＧＷ１０２は、ＵＥ１５１とＬＡＮ５１における端末装置１６１との間で通信データが送受信されない状態が継続し、タイマが満了すると（ステップＳ２２）、ＵＥ１５１のＬＩＰＡコネクションを維持すべきでないと判断し、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ２３）。
【０１０４】
次に、Ｌ−ＧＷ１０２は、リソース解放完了通知をＨｅＮＢ１０１へ送信する（ステップＳ２４）。
【０１０５】
図５は、本発明の実施の形態に係る無線通信システムにおけるＬＩＰＡリソースの解放処理のシーケンスの一例を示す図である。
【０１０６】
図５を参照して、ＨｅＮＢ１０１は、ＵＥ１５１が自己と通信可能でなくなった場合には、ＵＥ１５１に対するＬＩＰＡリソースの割り当てを維持すべきでないと判断する。
【０１０７】
より詳細には、ＵＥ１５１のＬＩＰＡコネクションが確立した後、まず、ＨｅＮＢ１０１は、自己とＵＥ１５１との無線リンクの監視を開始する。
【０１０８】
次に、ＨｅＮＢ１０１は、当該無線リンクの切断が発生すると（ステップＳ３１）、ＵＥ１５１のＬＩＰＡコネクションを維持すべきでないと判断し、リソース解放要求をＬ−ＧＷ１０２へ送信する（ステップＳ３２）。たとえば、ＨｅＮＢ１０１は、ＵＥ１５１から定期的に送信されてくるはずの通信データが受信できない場合には、当該無線リンクが切断されたと判断する。
【０１０９】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ３３）。
【０１１０】
次に、Ｌ−ＧＷ１０２は、リソース解放完了通知をＨｅＮＢ１０１へ送信する（ステップＳ３４）。
【０１１１】
また、Ｌ−ＧＷ１０２またはＨｅＮＢ１０１は、ＵＥ１５１がＨｅＮＢ１０１と通信可能でなく、かつＬ−ＧＷ１０２を介したＵＥ１５１とＬＡＮ５１における端末装置１６１との通信が所定時間以上行われていない場合には、ＵＥ１５１に対するＬＩＰＡリソースの割り当てを維持すべきでないと判断する構成であってもよい。
【０１１２】
図６は、本発明の実施の形態に係る無線通信システムにおけるＬＩＰＡリソースの解放処理のシーケンスの一例を示す図である。
【０１１３】
図６を参照して、ＨｅＮＢ１０１は、Ｌ−ＧＷ１０２を介したＵＥ１５１とＬＡＮ５１における端末装置１６１との通信が所定時間以上行われていない状態において、ＵＥ１５１が自己と通信可能であるか否かを確認し、ＵＥ１５１が自己と通信可能でない場合には、ＵＥ１５１に対するＬＩＰＡリソースの割り当てを維持すべきでないと判断する。具体的には、ＨｅＮＢ１０１は、Ｌ−ＧＷ１０２を介したＵＥ１５１とＬＡＮ５１における端末装置１６１との通信を監視し、当該通信が所定時間以上行われない場合には、ＵＥ１５１が自己と通信可能であるか否かを確認する。
【０１１４】
より詳細には、ＵＥ１５１のＬＩＰＡコネクションが確立した後、まず、ＨｅＮＢ１０１は、タイマを開始させる（ステップＳ４１）。
【０１１５】
次に、ＨｅＮＢ１０１は、ＵＥ１５１とＬＡＮ５１における端末装置１６１との間で通信データが送受信されない状態が継続し、タイマが満了すると（ステップＳ４２）、自己とＵＥ１５１との無線リンクの有無を確認する（ステップＳ４３）。
【０１１６】
次に、ＨｅＮＢ１０１は、当該無線リンクが存在しない、すなわち当該無線リンクが切断されている場合には（ステップＳ４３でＮＯ）、ＵＥ１５１のＬＩＰＡコネクションを維持すべきでないと判断し、リソース解放要求をＬ−ＧＷ１０２へ送信する（ステップＳ４４）。
【０１１７】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ４５）。
【０１１８】
次に、Ｌ−ＧＷ１０２は、リソース解放完了通知をＨｅＮＢ１０１へ送信する（ステップＳ４６）。
【０１１９】
一方、ＨｅＮＢ１０１は、当該無線リンクが切断されずに存在している場合には（ステップＳ４３でＹＥＳ）、ＵＥ１５１のＬＩＰＡコネクションを維持すべきであると判断し、リソース解放要求は送信しない。
【０１２０】
図７は、本発明の実施の形態に係る無線通信システムにおけるＬＩＰＡリソースの解放処理のシーケンスの一例を示す図である。
【０１２１】
図７を参照して、ＨｅＮＢ１０１は、Ｌ−ＧＷ１０２を介したＵＥ１５１とＬＡＮ５１における端末装置１６１との通信が所定時間以上行われていない状態において、ＵＥ１５１が自己と通信可能であるか否かを確認し、ＵＥ１５１が自己と通信可能でない場合には、ＵＥ１５１に対するＬＩＰＡリソースの割り当てを維持すべきでないと判断する。具体的には、Ｌ−ＧＷ１０２は、Ｌ−ＧＷ１０２を介したＵＥ１５１とＬＡＮ５１における端末装置１６１との通信を監視し、通信が所定時間以上行われない場合には、未通信情報をＨｅＮＢ１０１へ送信する。そして、ＨｅＮＢ１０１は、未通信情報を受信して、ＵＥ１５１が自己と通信可能であるか否かを確認する。
【０１２２】
より詳細には、ＵＥ１５１のＬＩＰＡコネクションが確立した後、まず、Ｌ−ＧＷ１０２は、タイマを開始させる（ステップＳ５１）。
【０１２３】
次に、Ｌ−ＧＷ１０２は、ＵＥ１５１とＬＡＮ５１における端末装置１６１との間で通信データが送受信されない状態が継続し、タイマが満了すると（ステップＳ５２）、タイマ満了通知（未通信情報）をＨｅＮＢ１０１へ送信する（ステップＳ５３）
次に、ＨｅＮＢ１０１は、Ｌ−ＧＷ１０２からタイマ満了通知を受けて、自己とＵＥ１５１との無線リンクの有無を確認する（ステップＳ５４）。
【０１２４】
次に、ＨｅＮＢ１０１は、当該無線リンクが存在しない、すなわち当該無線リンクが切断されている場合には（ステップＳ５４でＮＯ）、ＵＥ１５１のＬＩＰＡコネクションを維持すべきでないと判断し、リソース解放要求をＬ−ＧＷ１０２へ送信する（ステップＳ５５）。
【０１２５】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ５６）。
【０１２６】
次に、Ｌ−ＧＷ１０２は、リソース解放完了通知をＨｅＮＢ１０１へ送信する（ステップＳ５７）。
【０１２７】
一方、ＨｅＮＢ１０１は、当該無線リンクが切断されずに存在している場合には（ステップＳ５４でＹＥＳ）、ＵＥ１５１のＬＩＰＡコネクションを維持すべきであると判断し、リソース解放要求は送信しない。
【０１２８】
図８は、本発明の実施の形態に係る無線通信システムにおけるＬＩＰＡリソースの解放処理のシーケンスの一例を示す図である。
【０１２９】
図８を参照して、ＨｅＮＢ１０１は、ＵＥ１５１がＨｅＮＢ１０１と通信可能でなくなった後、Ｌ−ＧＷ１０２を介したＵＥ１５１とＬＡＮ５１における端末装置１６１との通信が所定時間以上行われない場合には、ＵＥ１５１に対するＬＩＰＡリソースの割り当てを維持すべきでないと判断する。具体的には、ＨｅＮＢ１０１は、ＵＥ１５１が自己と通信可能であるか否かを監視し、ＵＥ１５１が自己と通信可能でなくなった後、Ｌ−ＧＷ１０２を介したＵＥ１５１とＬＡＮ５１における端末装置１６１との通信を監視する。
【０１３０】
より詳細には、ＵＥ１５１のＬＩＰＡコネクションが確立した後、まず、ＨｅＮＢ１０１は、自己とＵＥ１５１との無線リンクの監視を開始する。
【０１３１】
次に、ＨｅＮＢ１０１は、当該無線リンクの切断が発生すると（ステップＳ６１）、タイマを開始させる（ステップＳ６２）。
【０１３２】
次に、ＨｅＮＢ１０１は、ＵＥ１５１とＬＡＮ５１における端末装置１６１との間で通信データが送受信されない状態、または無線リンクが切断された状態が継続し、タイマが満了すると（ステップＳ６３）、ＵＥ１５１のＬＩＰＡコネクションを維持すべきでないと判断し、リソース解放要求をＬ−ＧＷ１０２へ送信する（ステップＳ６４）。
【０１３３】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ６５）。
【０１３４】
次に、Ｌ−ＧＷ１０２は、リソース解放完了通知をＨｅＮＢ１０１へ送信する（ステップＳ６６）。
【０１３５】
図９は、本発明の実施の形態に係る無線通信システムにおけるＬＩＰＡリソースの解放処理のシーケンスの一例を示す図である。
【０１３６】
図９を参照して、Ｌ−ＧＷ１０２は、ＵＥ１５１がＨｅＮＢ１０１と通信可能でなくなった後、Ｌ−ＧＷ１０２を介したＵＥ１５１とＬＡＮ５１における端末装置１６１との通信が所定時間以上行われない場合には、ＵＥ１５１に対するＬＩＰＡリソースの割り当てを維持すべきでないと判断する。具体的には、ＨｅＮＢ１０１は、ＵＥ１５１が自己と通信可能であるか否かを監視し、ＵＥ１５１が自己と通信可能でなくなった場合には、無線リンク切断情報をＬ−ＧＷ１０２へ送信する。そして、Ｌ−ＧＷ１０２は、無線リンク切断情報を受信して、Ｌ−ＧＷ１０２を介したＵＥ１５１とＬＡＮ５１における端末装置１６１との通信を監視する。
【０１３７】
より詳細には、ＵＥ１５１のＬＩＰＡコネクションが確立した後、まず、ＨｅＮＢ１０１は、自己とＵＥ１５１との無線リンクの監視を開始する。
【０１３８】
次に、ＨｅＮＢ１０１は、当該無線リンクの切断が発生すると（ステップＳ７１）、リソース解放要求（無線リンク切断情報）をＬ−ＧＷ１０２へ送信する（ステップＳ７２）。
【０１３９】
次に、Ｌ−ＧＷ１０２は、ＨｅＮＢ１０１からリソース解放要求を受けて、タイマを開始させる（ステップＳ７３）。
【０１４０】
次に、Ｌ−ＧＷ１０２は、ＵＥ１５１とＬＡＮ５１における端末装置１６１との間で通信データが送受信されない状態、または無線リンクが切断された状態が継続し、タイマが満了すると（ステップＳ７４）、ＵＥ１５１のＬＩＰＡコネクションを維持すべきでないと判断し、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ７５）。
【０１４１】
次に、Ｌ−ＧＷ１０２は、リソース解放完了通知をＨｅＮＢ１０１へ送信する（ステップＳ７６）。
【０１４２】
また、無線通信システム２０１は、以下のような条件でリソースの解放処理を行なう構成であってもよい。
【０１４３】
図１０は、本発明の実施の形態に係る無線通信システムにおけるＬＩＰＡリソースの解放処理のシーケンスの一例を示す図である。
【０１４４】
図１０を参照して、ＨｅＮＢ１０１は、Ｌ−ＧＷ１０２を介したＵＥ１５１とＬＡＮ５１における端末装置１６１との通信が行われなくなってから所定時間経過した場合には、ＵＥ１５１に対するＬＩＰＡリソースの割り当てを維持すべきでないと判断する。そして、ＨｅＮＢ１０１は、ＵＥ１５１が自己と通信可能でなくなった場合には、通信が行われなくなってから上記所定時間が経過していなくても、ＵＥ１５１に対するＬＩＰＡリソースの割り当てを維持すべきでないと判断する。具体的には、ＨｅＮＢ１０１は、Ｌ−ＧＷ１０２を介したＵＥ１５１とＬＡＮ５１における端末装置１６１との通信を監視し、かつＵＥ１５１が自己と通信可能であるか否かを監視する。
【０１４５】
より詳細には、ＵＥ１５１のＬＩＰＡコネクションが確立した後、まず、ＨｅＮＢ１０１は、タイマを開始させる。このタイマの開始タイミングは、たとえば、ＵＥ１５１のＬＩＰＡコネクションが確立したタイミング、あるいはＵＥ１５１とＬＡＮ５１における端末装置１６１との間の通信が途切れたタイミングである。また、ＨｅＮＢ１０１は、ＵＥ１５１とＬＡＮ５１における端末装置１６１との間でＩＰパケット等の通信データが送受信されたことを検出するたびに、上記タイマをリセットして再スタートさせる（ステップＳ８１）。
【０１４６】
また、これと並行して、ＨｅＮＢ１０１は、自己とＵＥ１５１との無線リンクの監視を開始する。
【０１４７】
次に、ＨｅＮＢ１０１は、タイマが満了していない状態において、当該無線リンクの切断が発生すると（ステップＳ８２）、ＵＥ１５１のＬＩＰＡコネクションを維持すべきでないと判断し、リソース解放要求をＬ−ＧＷ１０２へ送信し（ステップＳ８３）、タイマを停止する（ステップＳ８４）。
【０１４８】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ８５）。
【０１４９】
次に、Ｌ−ＧＷ１０２は、リソース解放完了通知をＨｅＮＢ１０１へ送信する（ステップＳ８６）。
【０１５０】
一方、ＨｅＮＢ１０１は、当該無線リンクの切断が発生していない状態において、ＵＥ１５１とＬＡＮ５１における端末装置１６１との間で通信データが送受信されない状態が継続し、タイマが満了すると、図３に示すステップＳ１２およびＳ１３と同様に、ＵＥ１５１のＬＩＰＡコネクションを維持すべきでないと判断し、リソース解放要求をＬ−ＧＷ１０２へ送信する。
【０１５１】
図１１は、本発明の実施の形態に係る無線通信システムにおけるＬＩＰＡリソースの解放処理のシーケンスの一例を示す図である。
【０１５２】
図１１を参照して、Ｌ−ＧＷ１０２は、Ｌ−ＧＷ１０２を介したＵＥ１５１とＬＡＮ５１における端末装置１６１との通信が行われなくなってから所定時間経過した場合には、ＵＥ１５１に対するＬＩＰＡリソースの割り当てを維持すべきでないと判断する。そして、ＨｅＮＢ１０１は、ＵＥ１５１が自己と通信可能でなくなった場合には、通信が行われなくなってから上記所定時間が経過していなくても、ＵＥ１５１に対するＬＩＰＡリソースの割り当てを維持すべきでないと判断する。具体的には、Ｌ−ＧＷ１０２は、Ｌ−ＧＷ１０２を介したＵＥ１５１とＬＡＮ５１における端末装置１６１との通信を監視する。また、ＨｅＮＢ１０１は、ＵＥ１５１が自己と通信可能であるか否かを監視する。
【０１５３】
より詳細には、ＵＥ１５１のＬＩＰＡコネクションが確立した後、まず、Ｌ−ＧＷ１０２は、タイマを開始させる。このタイマの開始タイミングは、たとえば、ＵＥ１５１のＬＩＰＡコネクションが確立したタイミング、あるいはＵＥ１５１とＬＡＮ５１における端末装置１６１との間の通信が途切れたタイミングである。また、Ｌ−ＧＷ１０２は、ＵＥ１５１とＬＡＮ５１における端末装置１６１との間でＩＰパケット等の通信データが送受信されたことを検出するたびに、上記タイマをリセットして再スタートさせる（ステップＳ９３）。
【０１５４】
また、これと並行して、ＨｅＮＢ１０１は、自己とＵＥ１５１との無線リンクの監視を開始する。
【０１５５】
次に、ＨｅＮＢ１０１は、Ｌ−ＧＷ１０２のタイマが満了していない状態において、当該無線リンクの切断が発生すると（ステップＳ９１）、ＵＥ１５１のＬＩＰＡコネクションを維持すべきでないと判断し、リソース解放要求をＬ−ＧＷ１０２へ送信する（ステップＳ９２）。
【０１５６】
次に、Ｌ−ＧＷ１０２は、ＨｅＮＢ１０１からリソース解放要求を受けて、ＬＩＰＡリソースを解放する。たとえば、Ｌ−ＧＷ１０２は、ＵＥ１５１の識別情報およびローカルＩＰアドレスの対応関係を示す情報を消去し、使用リソースカウント値から１を減じる（ステップＳ９４）。
【０１５７】
次に、Ｌ−ＧＷ１０２は、タイマを停止し（ステップＳ９５）、リソース解放完了通知をＨｅＮＢ１０１へ送信する（ステップＳ９６）。
【０１５８】
一方、Ｌ−ＧＷ１０２は、当該無線リンクの切断が発生していない状態において、ＵＥ１５１とＬＡＮ５１における端末装置１６１との間で通信データが送受信されない状態が継続し、タイマが満了すると、図４に示すステップＳ２２およびＳ２３と同様に、ＵＥ１５１のＬＩＰＡコネクションを維持すべきでないと判断し、ＬＩＰＡリソースを解放する。
【０１５９】
また、無線通信システム２０１は、以下のようなタイミングでＬＩＰＡリソースの解放処理を行なう構成であっても良い。
【０１６０】
図１２は、本発明の実施の形態に係る無線通信システムにおけるハンドオーバ動作のシーケンスの一例を示す図である。
【０１６１】
図１２を参照して、ＨｅＮＢ１０１は、ＵＥ１５１が他の無線基地局装置へのハンドオーバを行なう場合において、ハンドオーバを行なわせる指示を示すハンドオーバ指示をＵＥ１５１へ送信する前に、またはハンドオーバ指示の送信と並行して、ＵＥ１５１に対するＬＩＰＡリソースの割り当てを解除する要求を示すリソース解放要求をＬ−ＧＷ１０２へ送信する。そして、Ｌ−ＧＷ１０２は、リソース解放要求を受信して、ＵＥ１５１に対するＬＩＰＡリソースの割り当てを解除する。
【０１６２】
より詳細には、まず、ＨｅＮＢ１０１と通信中のＵＥ１５１は、無線通信システム２０１におけるＨｅＮＢ１０１以外の他の無線基地局装置から送信される無線信号の受信レベルを測定し、この測定結果を示す測定結果通知をＨｅＮＢ１０１へ送信する。たとえば、ＵＥ１５１は、受信レベルの測定を定期的に行ない、ＨｅＮＢ１０１との通信状態が悪くなった場合、およびＨｅＮＢ１０１以外の他の無線基地局装置との通信状態が良くなった場合に、測定結果通知をＨｅＮＢ１０１へ送信する（ステップＳ２０１）。
【０１６３】
次に、ＨｅＮＢ１０１は、ＵＥ１５１から受信した測定結果通知に基づいて、当該ＵＥ１５１がハンドオーバすべきか否かを判断し（ステップＳ２０２）、ハンドオーバすべきであると判断すると、たとえばｅＮＢ１０６をハンドオーバ先として決定し、ｅＮＢ１０６を示すハンドオーバ要求をＭＭＥ１０３へ送信する（ステップＳ２０３）。
【０１６４】
ここで、本発明の実施の形態に係る無線通信システムにおいて、ハンドオーバとは、通話中またはデータ通信中のＵＥの通信相手となる無線基地局装置が切り替えられることを意味する。
【０１６５】
次に、ＭＭＥ１０３は、ＨｅＮＢ１０１からハンドオーバ要求を受信して、ｅＮＢ１０６へ当該ハンドオーバ要求を送信する（ステップＳ２０４）。
【０１６６】
次に、ｅＮＢ１０６は、ＭＭＥ１０３からハンドオーバ要求を受信して、ＭＭＥ１０３へ当該ハンドオーバ要求に対するハンドオーバ応答を送信する（ステップＳ２０５）。
【０１６７】
次に、ＭＭＥ１０３は、ｅＮＢ１０６からハンドオーバ応答を受信して、ＨｅＮＢ１０１へハンドオーバ指示を送信する（ステップＳ２０６）。
【０１６８】
次に、ＨｅＮＢ１０１は、ＭＭＥ１０３からハンドオーバ指示を受信して、ＵＥ１５１のＬＩＰＡコネクションを維持すべきでないと判断し、リソース解放要求をＬ−ＧＷ１０２へ送信する。Ｌ−ＧＷ１０２は、ＨｅＮＢ１０１からリソース解放要求を受けて、ＬＩＰＡリソースを解放する（ステップＳ２０７）。
【０１６９】
次に、ＨｅＮＢ１０１は、ＵＥ１５１に対してハンドオーバを行なわせる指示を含むＲＲＣ（Radio Resource Control）コネクション再構成指示を、ＵＥ１５１へ送信する（ステップＳ２０８）。
【０１７０】
次に、ＵＥ１５１は、ＨｅＮＢ１０１からＲＲＣコネクション再構成指示を受信して、セル選択処理、すなわちｅＮＢ１０６との間でＲＲＣコネクションを確立するために、種々の通信データの送受信をｅＮＢ１０６との間で行なう（ステップＳ２０９）。ここで、ＲＲＣコネクションは、ＵＥが無線基地局装置と通信をするために用いられるコネクションである。
【０１７１】
次に、ＵＥ１５１およびｅＮＢ１０６間でＲＲＣコネクションが確立されると、ＵＥ１５１は、ｅＮＢ１０６へＲＲＣコネクション再構成通知を送信する（ステップＳ２１０）。
【０１７２】
次に、ｅＮＢ１０６は、ＵＥ１５１からＲＲＣコネクション確立通知を受信して、ＭＭＥ１０３へハンドオーバ完了通知を送信する（ステップＳ２１１）。
【０１７３】
次に、ｅＮＢ１０６は、パススイッチ要求をＭＭＥ１０３へ送信する（ステップＳ２１２）。
【０１７４】
次に、ＭＭＥ１０３は、ユーザプレーン更新要求をＳ−ＧＷ１０４，１０５へ送信する（ステップＳ２１３）。
【０１７５】
次に、Ｓ−ＧＷ１０４，１０５は、ユーザプレーン更新応答をＭＭＥ１０３へ送信する（ステップＳ２１４）。
【０１７６】
次に、ＭＭＥ１０３は、パススイッチ応答をｅＮＢ１０６へ送信する（ステップＳ２１５）。
【０１７７】
次に、ＭＭＥ１０３は、ｅＮＢ１０６からハンドオーバ完了通知を受信して、端末情報解放指示をＨｅＮＢ１０１へ送信する（ステップＳ２１６）。
【０１７８】
次に、ＨｅＮＢ１０１は、ＭＭＥ１０３から端末情報解放指示を受信して、ＵＥ１５１に関するリソースを解放し（ステップＳ２１７）、ＭＭＥ１０３へ端末情報解放完了通知を送信する（ステップＳ２１８）。
【０１７９】
さらに、無線通信システム２０１は、ハンドオーバに関し、以下のような方法でＬＩＰＡリソースの解放処理を行なう構成であっても良い。
【０１８０】
図１３は、本発明の実施の形態に係る無線通信システムにおけるハンドオーバ動作のシーケンスの一例を示す図である。
【０１８１】
図１３を参照して、ＨｅＮＢ１０１は、ＵＥ１５１が他の無線基地局装置へのハンドオーバを行なう場合において、ハンドオーバを行なわせる指示を示すハンドオーバ指示をＵＥ１５１へ送信してから所定時間以上、Ｌ−ＧＷ１０２を介したＵＥ１５１とＬＡＮ５１における端末装置１６１との通信が行われないときには、ＵＥ１５１に対するＬＩＰＡリソースの割り当てを解除する要求を示すリソース解放要求をＬ−ＧＷ１０２へ送信する。そして、Ｌ−ＧＷ１０２は、リソース解放要求を受信して、ＵＥ１５１に対するＬＩＰＡリソースの割り当てを解除する。
【０１８２】
より詳細には、まず、ステップＳ２３１〜Ｓ２３６の動作は、図１２に示すシーケンスにおけるステップＳ２０１〜Ｓ２０６の動作とそれぞれ同様である。
【０１８３】
次に、ＨｅＮＢ１０１は、ＭＭＥ１０３からハンドオーバ指示を受信して、タイマを開始させる。ＨｅＮＢ１０１は、ＵＥ１５１とＬＡＮ５１における端末装置１６１との間でＩＰパケット等の通信データが送受信されたことを検出するたびに、上記タイマをリセットして再スタートさせる（ステップＳ２３７）。
【０１８４】
次に、ＨｅＮＢ１０１は、ＵＥ１５１に対してハンドオーバを行なわせる指示を含むＲＲＣコネクション再構成指示を、ＵＥ１５１へ送信する（ステップＳ２３８）。
【０１８５】
次に、ＨｅＮＢ１０１は、ＵＥ１５１とＬＡＮ５１における端末装置１６１との間で通信データが送受信されない状態が継続し、タイマが満了すると（ステップＳ２３９）、ＵＥ１５１のＬＩＰＡコネクションを維持すべきでないと判断し、リソース解放要求をＬ−ＧＷ１０２へ送信する。Ｌ−ＧＷ１０２は、ＨｅＮＢ１０１からリソース解放要求を受けて、ＬＩＰＡリソースを解放する（ステップＳ２４０）。
【０１８６】
以降のステップＳ２４１〜Ｓ２５０の動作は、図１２に示すシーケンスにおけるステップＳ２０９〜Ｓ２１８の動作とそれぞれ同様であり、上記タイマが満了するか否かに関わらず行なわれる。
【０１８７】
ここで、ＨｅＮＢ１０１がＲＲＣコネクション再構成指示をＵＥ１５１へ送信した後、セル選択処理（ステップＳ２０９）においてハンドオーバの失敗が起きた場合には、ＵＥ１５１は、ＨｅＮＢ１０１との間で再びＲＲＣコネクションを確立する処理を行うことになる。
【０１８８】
図１３に示すシーケンスでは、図１２に示すシーケンスと異なり、ＲＲＣコネクション再構成指示を送信してからリソース解放要求をＬ−ＧＷ１０２へ送信するまでに猶予期間を設ける。これにより、ハンドオーバの失敗が起きても、ＬＩＰＡコネクションの確立処理を再び実行する必要がなくなり、通信システムにおける処理の効率化を図ることができる。
【０１８９】
なお、図１３に示すシーケンスでは、ＲＲＣコネクション再構成指示を送信する前にタイマを開始したが、これに限定するものではない。ＲＲＣコネクション再構成指示の送信と同時、またはＲＲＣコネクション再構成指示を送信した後にタイマを開始してもよい。
【０１９０】
ところで、たとえば、ＬＩＰＡリソースを利用してＬＡＮにおける端末装置と通信中であるＵＥがＨｅＮＢからｅＮＢへハンドオーバした場合には、ハンドオーバ先のｅＮＢからたとえばＭＭＥ経由でＬ−ＧＷに対して当該ＵＥのハンドオーバに関する通知を行なうことにより、Ｌ−ＧＷが当該ＵＥに割り当てていたＬＩＰＡリソースを解放する必要がある。
【０１９１】
しかしながら、移動通信システムの構成によっては、Ｌ−ＧＷに対して上記のようなＭＭＥからの通知が行なえない場合があり、このような場合には、Ｌ−ＧＷが、使用されないＬＩＰＡリソースを当該ＵＥに割り当てたままの状態となってしまう。
【０１９２】
これに対して、本発明の実施の形態に係る無線通信システムでは、Ｌ−ＧＷ１０２またはＨｅＮＢ１０１は、ＵＥに対するＬＩＰＡリソースの割り当てを維持すべきか否かを判断する。そして、Ｌ−ＧＷ１０２は、ＬＩＰＡリソースの割り当てを維持すべきでないとの判断を受けて、ＬＩＰＡリソースの割り当てを解除する。
【０１９３】
このような構成により、内部ネットワーク側すなわちＨｅＮＢ１０１またはＬ−ＧＷ１０２においてＬＩＰＡリソースの解放判断および解放処理を行なうことができるため、ＭＭＥからの通知を受けることなく内部ネットワーク側においてＬＩＰＡリソースを自律的に解放することが可能となる。したがって、本発明の実施の形態に係る無線通信システムでは、無線端末装置が内部ネットワークにおける端末装置と通信するために用いるリソースを、適切に管理することができる。
【０１９４】
また、本発明の実施の形態に係る無線通信システムでは、Ｌ−ＧＷ１０２またはＨｅＮＢ１０１は、Ｌ−ＧＷ１０２を介したＵＥ１５１とＬＡＮ５１における端末装置１６１との通信が所定時間以上行われていない場合には、ＵＥ１５１に対するＬＩＰＡリソースの割り当てを維持すべきでないと判断する。
【０１９５】
このような構成により、一定期間未使用のＬＩＰＡリソースを適切に解放することができる。
【０１９６】
また、本発明の実施の形態に係る無線通信システムでは、ＨｅＮＢ１０１は、ＵＥ１５１が自己と通信可能でなくなった場合には、ＵＥ１５１に対するＬＩＰＡリソースの割り当てを維持すべきでないと判断する。
【０１９７】
このような構成により、たとえばＨｅＮＢ１０１の圏外へ移動したＵＥの使用していたＬＩＰＡリソースを適切に解放することができる。
【０１９８】
また、本発明の実施の形態に係る無線通信システムでは、Ｌ−ＧＷ１０２またはＨｅＮＢ１０１は、ＵＥ１５１がＨｅＮＢ１０１と通信可能でなく、かつＬ−ＧＷ１０２を介したＵＥ１５１とＬＡＮ５１における端末装置１６１との通信が所定時間以上行われていない場合には、ＵＥ１５１に対するＬＩＰＡリソースの割り当てを維持すべきでないと判断する。
【０１９９】
このように、ＬＩＰＡリソースが一定期間未使用であること、およびＵＥが無線基地局装置と通信可能でなくなったことの両方をＬＩＰＡリソース解放の条件とすることにより、ＬＩＰＡリソースを適切に解放することができる。
【０２００】
また、本発明の実施の形態に係る無線通信システムでは、ＨｅＮＢ１０１は、Ｌ−ＧＷ１０２を介したＵＥ１５１とＬＡＮ５１における端末装置１６１との通信が所定時間以上行われていない状態において、ＵＥ１５１が自己と通信可能であるか否かを確認し、ＵＥ１５１が自己と通信可能でない場合には、ＵＥ１５１に対するＬＩＰＡリソースの割り当てを維持すべきでないと判断する。
【０２０１】
このような構成により、ＬＡＮ５１における端末装置１６１にはアクセスしなくなったが、ＨｅＮＢ１０１の圏内に存在するＵＥが、当該アクセスを再開した場合に、ＬＩＰＡコネクションの確立処理を再び実行する必要がなくなり、通信システムにおける処理の効率化を図ることができる。
【０２０２】
また、本発明の実施の形態に係る無線通信システムでは、ＨｅＮＢ１０１は、Ｌ−ＧＷ１０２を介したＵＥ１５１とＬＡＮ５１における端末装置１６１との通信を監視し、当該通信が所定時間以上行われない場合には、ＵＥ１５１が自己と通信可能であるか否かを確認する。
【０２０３】
このような構成により、Ｌ−ＧＷ１０２からＨｅＮＢ１０１へタイマ満了通知（未通信情報）を送信する必要がなくなるため、通信システムにおける処理の効率化を図ることができる。
【０２０４】
また、本発明の実施の形態に係る無線通信システムでは、Ｌ−ＧＷ１０２は、Ｌ−ＧＷ１０２を介したＵＥ１５１とＬＡＮ５１における端末装置１６１との通信を監視し、通信が所定時間以上行われない場合には、未通信情報をＨｅＮＢ１０１へ送信する。そして、ＨｅＮＢ１０１は、未通信情報を受信して、ＵＥ１５１が自己と通信可能であるか否かを確認する。
【０２０５】
このような構成により、Ｌ−ＧＷ１０２を介したＵＥ１５１とＬＡＮ５１における端末装置１６１との通信を監視する機能をＨｅＮＢ１０１側に実装する必要がなくなり、ＨｅＮＢ１０１およびＬ−ＧＷ１０２間の負荷分散を図ることができる。
【０２０６】
また、本発明の実施の形態に係る無線通信システムでは、Ｌ−ＧＷ１０２またはＨｅＮＢ１０１は、ＵＥ１５１がＨｅＮＢ１０１と通信可能でなくなった後、Ｌ−ＧＷ１０２を介したＵＥ１５１とＬＡＮ５１における端末装置１６１との通信が所定時間以上行われない場合には、ＵＥ１５１に対するＬＩＰＡリソースの割り当てを維持すべきでないと判断する。
【０２０７】
このような構成により、ＨｅＮＢ１０１の圏外へ移動したＵＥが短時間のうちにＨｅＮＢ１０１の圏内へ戻って来た場合に、ＬＩＰＡコネクションの確立処理を再び実行する必要がなくなり、通信システムにおける処理の効率化を図ることができる。
【０２０８】
また、本発明の実施の形態に係る無線通信システムでは、ＨｅＮＢ１０１は、ＵＥ１５１が自己と通信可能であるか否かを監視し、ＵＥ１５１が自己と通信可能でなくなった後、Ｌ−ＧＷ１０２を介したＵＥ１５１とＬＡＮ５１における端末装置１６１との通信を監視する。
【０２０９】
このような構成により、Ｌ−ＧＷ１０２を介したＵＥ１５１とＬＡＮ５１における端末装置１６１との通信を監視する機能をＬ−ＧＷ１０２に実装する必要がなくなり、ＨｅＮＢ１０１およびＬ−ＧＷ１０２間の負荷分散を図ることができる。
【０２１０】
また、本発明の実施の形態に係る無線通信システムでは、ＨｅＮＢ１０１は、ＵＥ１５１が自己と通信可能であるか否かを監視し、ＵＥ１５１が自己と通信可能でなくなった場合には、無線リンク切断情報をＬ−ＧＷ１０２へ送信する。そして、Ｌ−ＧＷ１０２は、無線リンク切断情報を受信して、Ｌ−ＧＷ１０２を介したＵＥ１５１とＬＡＮ５１における端末装置１６１との通信を監視する。
【０２１１】
このような構成により、Ｌ−ＧＷ１０２を介したＵＥ１５１とＬＡＮ５１における端末装置１６１との通信を監視する機能をＨｅＮＢ１０１に実装する必要がなくなり、ＨｅＮＢ１０１およびＬ−ＧＷ１０２間の負荷分散を図ることができる。
【０２１２】
また、本発明の実施の形態に係る無線通信システムでは、Ｌ−ＧＷ１０２またはＨｅＮＢ１０１は、Ｌ−ＧＷ１０２を介したＵＥ１５１とＬＡＮ５１における端末装置１６１との通信が行われなくなってから所定時間経過した場合には、ＵＥ１５１に対するＬＩＰＡリソースの割り当てを維持すべきでないと判断する。そして、ＨｅＮＢ１０１は、ＵＥ１５１が自己と通信可能でなくなった場合には、通信が行われなくなってから上記所定時間が経過していなくても、ＵＥ１５１に対するＬＩＰＡリソースの割り当てを維持すべきでないと判断する。
【０２１３】
このような構成により、たとえばＨｅＮＢ１０１の圏外へ移動したＵＥの使用していたＬＩＰＡリソースを迅速に解放することができる。
【０２１４】
また、本発明の実施の形態に係る無線通信システムでは、ＨｅＮＢ１０１は、Ｌ−ＧＷ１０２を介したＵＥ１５１とＬＡＮ５１における端末装置１６１との通信を監視し、かつＵＥ１５１が自己と通信可能であるか否かを監視する。
【０２１５】
このような構成により、Ｌ−ＧＷ１０２を介したＵＥ１５１とＬＡＮ５１における端末装置１６１との通信を監視する機能をＬ−ＧＷ１０２に実装する必要がなくなり、ＨｅＮＢ１０１およびＬ−ＧＷ１０２間の負荷分散を図ることができる。
【０２１６】
また、本発明の実施の形態に係る無線通信システムでは、Ｌ−ＧＷ１０２は、Ｌ−ＧＷ１０２を介したＵＥ１５１とＬＡＮ５１における端末装置１６１との通信を監視する。ＨｅＮＢ１０１は、ＵＥ１５１が自己と通信可能であるか否かを監視する。
【０２１７】
このような構成により、Ｌ−ＧＷ１０２を介したＵＥ１５１とＬＡＮ５１における端末装置１６１との通信を監視する機能をＨｅＮＢ１０１に実装する必要がなくなり、ＨｅＮＢ１０１およびＬ−ＧＷ１０２間の負荷分散を図ることができる。
【０２１８】
また、本発明の実施の形態に係る無線通信システムでは、ＨｅＮＢ１０１は、ＵＥ１５１が他のＨｅＮＢ１０１へのハンドオーバを行なう場合において、ハンドオーバを行なわせる指示を示すハンドオーバ指示をＵＥ１５１へ送信する前に、またはハンドオーバ指示の送信と並行して、ＵＥ１５１に対するＬＩＰＡリソースの割り当てを解除する要求を示すリソース解放要求をＬ−ＧＷ１０２へ送信する。そして、Ｌ−ＧＷ１０２は、リソース解放要求を受信して、ＬＩＰＡリソースの割り当てを解除する。
【０２１９】
このような構成により、ＭＭＥ１０３から端末情報解放指示が到着しない等、ハンドオーバ先からの通知がない場合でも、ＬＩＰＡリソースを確実に解放することができる。
【０２２０】
また、本発明の実施の形態に係る無線通信システムでは、ＨｅＮＢ１０１は、ＵＥ１５１が他の無線基地局装置へのハンドオーバを行なう場合において、ハンドオーバを行なわせる指示を示すハンドオーバ指示をＵＥ１５１へ送信してから所定時間以上、Ｌ−ＧＷ１０２を介したＵＥ１５１とＬＡＮ５１における端末装置１６１との通信が行われないときには、ＵＥ１５１に対するＬＩＰＡリソースの割り当てを解除する要求を示すリソース解放要求をＬ−ＧＷ１０２へ送信する。そして、Ｌ−ＧＷ１０２は、リソース解放要求を受信して、ＬＩＰＡリソースの割り当てを解除する。
【０２２１】
このような構成により、ＭＭＥ１０３から端末情報解放指示が到着しない等、ハンドオーバ先からの通知がない場合でも、ＬＩＰＡリソースを確実に解放することができる。また、ハンドオーバの失敗が起きても、ＬＩＰＡコネクションの確立処理を再び実行する必要がなくなり、通信システムにおける処理の効率化を図ることができる。
【０２２２】
また、本発明の実施の形態に係る無線通信システムでは、無線通信システム２０１は、ＨｅＮＢ１０１またはｅＮＢ１０６である無線基地局装置を複数たとえば２つ備え、Ｓ−ＧＷを複数たとえば２つ備える。そして、各無線基地局装置のうちの少なくともいずれか２つたとえばＨｅＮＢ１０１およびｅＮＢ１０６は、異なるＳ−ＧＷに接続されている。
【０２２３】
このような無線通信システムでは、ＵＥがハンドオーバした際にＭＭＥからＬＩＰＡリソースの解放指示となる通知を受けることが困難であることから、上記ハンドオーバ指示をＵＥへ送信する前またはハンドオーバ指示の送信と並行してリソース解放要求をＬ−ＧＷ１０２へ送信することによる効果を、より顕著に得ることができる。
【０２２４】
また、本発明の実施の形態に係る無線通信システムは、３ＧＰＰで規定されたＨｅＮＢと、３ＧＰＰで規定されたＬ−ＧＷと、３ＧＰＰで規定されたＳ−ＧＷとを備える。
【０２２５】
このような構成により、３ＧＰＰで規定されたＬＩＰＡ機能を用いて、無線端末装置が内部ネットワークにおける端末装置と通信するために用いるリソースを、適切に管理することが可能となる。
【０２２６】
なお、本発明の実施の形態に係る無線通信システムでは、ＵＥが他の無線基地局装置へハンドオーバする場合において、ＬＩＰＡリソースを適切に解放する動作について説明したが、このような場合に限定されるものではなく、たとえば、ＵＥの電源がオフされた場合でも、本発明を適用することが可能である。
【０２２７】
また、本発明の実施の形態に係る無線通信システムでは、Ｌ−ＧＷ１０２は、ＬＩＰＡリソースを解放した後、ＨｅＮＢ１０１にリソース解放完了通知を送信する構成であるとしたが、これに限定するものではない。Ｌ−ＧＷ１０２は、リソース解放完了通知をＨｅＮＢ１０１へ送信しない構成であってもよい。
【０２２８】
また、本発明の実施の形態に係る無線通信システムでは、ハンドオーバの動作として、ＵＥの通信相手となる無線基地局装置が無線基地局装置主導で切り替えられる構成であるとしたが、これに限定するものではない。ＵＥの通信相手となる無線基地局装置がＵＥ主導で切り替えられる構成であってもよい。
【０２２９】
また、本発明の実施の形態に係るＨｅＮＢ１０１と同様の動作を、ｅＮＢ１０６が行なうことも可能である。
【０２３０】
また、フェムトセルおよびアクセスモードは、３ＧＰＰ（Third Generation Partnership Project）  ＳＰＥＣ  ＴＳ２２．２２０において以下のように説明されている。すなわち、フェムト基地局は、無線インタフェースを介して接続されている無線端末装置を、ＩＰバックホール（backhaul）を用いて、移動通信事業者網に接続する顧客構内装置である。
【０２３１】
また、フェムトセルのアクセスモードにおいて、クローズドアクセスモードのフェムト基地局は、関連するＣＳＧ（Closed Subscriber Group）メンバーにのみサービスを提供する。また、ハイブリッドモードのフェムト基地局は、関連するＣＳＧメンバーおよびＣＳＧノンメンバーにサービスを提供する。また、オープンアクセスモードのフェムト基地局は、通常の基地局として動作する。
【０２３２】
本発明の実施の形態に係る無線通信システムにおいても、このような３ＧＰＰの定義を適用してもよい。
【０２３３】
また、上記定義と合わせて、あるいは別個に、以下のような定義を適用することも可能である。
【０２３４】
マクロ基地局は、事業者の管理下にあり、事業者と契約している無線基地局装置が通信可能な無線基地局装置である。また、マクロ基地局は、基本的に電源がオフになることはないと考えられる。
【０２３５】
また、フェムト基地局は、主に個人または法人の建物内に設置され、ユーザの事情により移動するまたは電源がオフとなる可能性がある無線基地局装置である。
【０２３６】
また、フェムト基地局は、オープン／ハイブリッド／クローズドのいずれかのアクセスモードで動作する。フェムト基地局は、クローズドアクセスモードで動作する場合には、登録済みのメンバー（端末）のみ接続可能となる。また、クローズドアクセスモードで動作する場合には、登録済みのメンバーにのみサービスを提供する。また、ハイブリッドモードで動作する場合には、登録済みのメンバー、および未登録のメンバーすなわちノンメンバーの両方にサービスを提供する。また、オープンアクセスモードで動作する場合には、マクロ基地局と同じ動作をする。
【０２３７】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【符号の説明】
【０２３８】
５１  ＬＡＮ（内部ネットワーク）
５２  ＩＰ網（外部ネットワーク）
１０１  ＨｅＮＢ（無線基地局装置）
１０２  Ｌ−ＧＷ（内部ネットワーク接続装置）
１０３  ＭＭＥ
１０４，１０５  Ｓ−ＧＷ（通信制御装置）
１０６  ｅＮＢ（無線基地局装置）
１０７  Ｐ−ＧＷ
１５０，１５１  ＵＥ
２０１  無線通信システム
【図１】
2012063581.tif 000003
【図２】
2012063581.tif 000004
【図３】
2012063581.tif 000005
【図４】
2012063581.tif 000006
【図５】
2012063581.tif 000007
【図６】
2012063581.tif 000008
【図７】
2012063581.tif 000009
【図８】
2012063581.tif 000010
【図９】
2012063581.tif 000011
【図１０】
2012063581.tif 000012
【図１１】
2012063581.tif 000013
【図１２】
2012063581.tif 000014
【図１３】
2012063581.tif 000015
【国際調査報告】
2012063581.tif 000016
2012063581.tif 000017
2012063581.tif 000018
2012063581.tif 000019